(57)【要約】【課題】ハウジングの形状の変化を防止し、かつ突出部を支持することによって、電磁波遮蔽効率を向上させるように、複数の突出部を有するコンピュータ・フレームの改良構造を提供すること。【解決手段】コンピュータ・フレームの２つの並置された上部フレームが、それぞれ、少なくとも２つの突出部を有し、各前記突出部が、４つの表面を有する底部であり、各表面が、前記底部の中心に向かって斜め上方に延び、ハウジングの形状が変化するのを防止し、かつ平坦突出表面を支持することによって電磁波遮蔽効率を改善するように、平坦突出表面を形成すること。【選択図】　図１
0003097903.tif 000002
【実用新案登録請求の範囲】
【請求項１】
コンピュータ・フレームの２つの並置された上部フレームが、それぞれ、少なくとも２つの突出部を有し、各前記突出部が、４つの表面を有する底部であり、各表面が、前記底部の中心に向かって斜め上方に延び、ハウジングの形状が変化するのを防止し、かつ平坦突出表面を支持することによって電磁波遮蔽効率を改善するように、平坦突出表面を形成することを特徴とするコンピュータ・フレームの改良構造。
【請求項２】
前記突出部が、ろう付けによって前記上部フレームの上で互いに接続されることを特徴とする請求項１に記載のコンピュータ・フレームの改良構造。
【請求項３】
前記突出部が、矩形であり、かつ前記コンピュータ・フレームと同じ方向を有することを特徴とする請求項１に記載のコンピュータ・フレームの改良構造。
【請求項４】
前記突出部の各隣接表面が、弓形の装飾を有することを特徴とする請求項１に記載のコンピュータ・フレームの改良構造。
【考案の詳細な説明】
【０００１】
【考案の属する技術分野】
本考案は、一般に、コンピュータ・フレームの改良構造に関する。より具体的には、本考案は、ハウジングの形状が変化することを防止し、かつ突出部を支持することによって電磁波遮蔽効率を向上させるように、複数の突出部を有するコンピュータ・フレームの改良構造に関する。
【０００２】
【従来の技術】
一般に、コンピュータ筺体は、コンピュータ・システムの魂であり、コンピュータ・システムの動作と安定性を決定する。したがって、コンピュータ筺体の設計は、コンピュータ製造業者にとって、注目すべき話題である。
【０００３】
しかし、従来の技術によるコンピュータ筺体の設計は、一般に複数の電子部品と他の部品を内部に配置するための内部空間を形成するために、フレームを主に備え、内部に対しては電磁波を遮蔽し、外部に対しては電磁波の漏れを防止するように、上から下までフレームの上をＵ型のセクションであるハウジングで覆う
【０００４】
従来の技術によるコンピュータ・フレームの設計は、半円球状突出部をコンピュータ・フレームの上面の上に配置し、ハウジングで覆っていた。
【０００５】
従来の技術によって設計されたコンピュータ・フレームの欠点は、ハウジング材料がアルミニウムであるために、ハウジングの応力が、不十分なことである。したがって、コンピュータ・フレームの上をハウジングで覆う際に、ハウジングは、特にモニタまたは周辺装置などの重い物体がハウジングの上に配置されているとき、半円球状突出部によって抵抗を受け、形状が容易に変化する。したがって、形状の変化するハウジングは、電磁波遮蔽効率が落ちることになる。
【０００６】
【考案が解決しようとする課題】
したがって、ハウジングの形状の変化を防止し、かつ突出部を支持することによって電磁波遮蔽効率を向上させるように、複数の突出部を有するコンピュータ・フレームの改良構造が必要である。
【０００７】
上記の問題を解決するために、本考案は、ハウジングの形状の変化を防止し、かつ突出部を支持することによって、電磁波遮蔽効率を向上させるように、複数の突出部を有するコンピュータ・フレームの改良構造を提供することを目的とする。
【０００８】
【課題を解決するための手段】
本考案の上記の目的を達成するために、コンピュータ・フレームの改良構造が提供され、コンピュータ・フレームの２つの並置された上部フレームが、それぞれ、少なくとも２つの突出部を有し、各前記突出部が、４つの表面を有する底部であり、各表面が、前記底部の中心に向かって斜め上方に延び、ハウジングの形状が変化するのを防止し、かつ平坦突出表面を支持することによって電磁波遮蔽効率を改善するように、平坦突出表面を形成する。
【０００９】
さらに詳述すると、本考案のコンピュータ・フレームの改良構造は、コンピュータ・フレームの２つの並置された上部フレームが、それぞれ、少なくとも２つの突出部を有し、各前記突出部が、４つの表面を有する底部であり、各表面が、前記底部の中心に向かって斜め上方に延び、ハウジングの形状が変化するのを防止し、かつ平坦突出表面を支持することによって電磁波遮蔽効率を改善するように、平坦突出表面を形成することからなる。
又、前記突出部が、ろう付けによって前記上部フレームの上で互いに接続されることが好適である。
又、前記突出部が、矩形であり、かつ前記コンピュータ・フレームと同じ方向を有することが好適である。
さらに、前記突出部の各隣接表面が、弓形の装飾を有することが好適である。
【００１０】
【考案の実施の形態】
本考案の新規な特徴は、具体的には添付の請求項に述べられている。本考案は、添付の図面と共に読むとき、以下の記述から最適に理解されるであろう。
図１を参照すると、本考案の一実施形態によるコンピュータ・フレームの改良構造の３次元図が示されている。図１に示したように、本考案のコンピュータ・フレームの改良構造は、コンピュータ・フレーム１を備え、コンピュータ・フレーム１は、ハウジングＡによって覆うことができる。
【００１１】
コンピュータ・フレーム１の上面は、並列し、かつ対向して配置された、少なくとも２つの上部フレーム１１と、それぞれ上部フレーム１１の上に位置する少なくとも２つの突出部１１１とを有する。
【００１２】
従来の技術の欠点を解決するために、本考案の一実施形態によるコンピュータ・フレームの突出部の３次元図を示している図２を参照されたい。図２に示したように、突出部１１１は、正方形または矩形であり、突出部１１１の各表面は、前記底部の中心に向かって斜め上方に延び、形状が正方形または矩形である平坦突出表面１１１１を形成し、平坦突出表面１１１１の各境界は、反転角装飾を有する弓形である。平坦突出表面１１１１は、平坦表面であり、ろう付けまたは従来の技術による他の方式によって、上部フレーム１１に接続される。
【００１３】
再び図１および２を参照すると、コンピュータ・フレーム１の上をハウジングＡで覆う際に、ハウジングＡは、突出部１１１の平坦突出表面１１１１によって支持され、かつ抵抗を受け、表面接触を形成する。したがって、本考案のコンピュータ・フレーム１は、単一点で力を受けるので、形状が変化するという従来の技術の欠点を防止することができる。
【００１４】
好ましい実施形態を参照して、本考案を記述してきたが、添付の請求項によって確定される本考案の精神から逸脱せずに、修正または変更を容易に実施することが可能であることを理解されたい。
【図面の簡単な説明】
【図１】本考案の一実施形態によるコンピュータ・フレームの改良構造の３次元図である。
【図２】本考案の一実施形態によるコンピュータ・フレームの突出部の３次元図である。
【符号の説明】
１　コンピュータ・フレーム
１１　上部フレーム
１１１　突出部
１１１１　平坦突出表面
Ａ　ハウジング
【図１】
0003097903.tif 000003
【図２】
0003097903.tif 000004